(57)【要約】      （修正有）【課題】衝撃吸収性が十分であり、卵パックに簡単に装着したり取り外したりすることができ、さらに買物客が再使用するのにも適しており、しかも不使用時には嵩を低くしておくことができる卵パック保護カバーを提供する。【解決手段】一端の開口部から挿入するようにした卵パックＰの外周に接触するようにして、内側１ｂに衝撃吸収部材２を装着してなる四角筒体１とし、不使用時には対向する一対の折目ｔより扁平状に折り畳めるようにする。【選択図】図３
0003140524.tif 000002
【実用新案登録請求の範囲】
【請求項１】
一端の開口部（１ａ）から挿入するようにした卵パック（Ｐ）の外周に接触するようにして、内側（１ｂ）に衝撃吸収部材（２）を装着してなる四角筒体（１）とし、不使用時には対向する一対の折目（ｔ）より扁平状に折り畳めるようにしたことを特徴とする卵パック保護カバー。
【請求項２】
前記四角筒体（１）を、剛性を有する長方形状の四枚の板材（３）を連設し、これら板材（３）の内面にそれぞれ衝撃吸収部材（２）の外面を沿わせ、前記板材（３）の外面と衝撃吸収部材（２）の内面とを合成樹脂地からなる外装生地（４）で被覆したことを特徴とする請求項１記載の卵パック保護カバー。
【請求項３】
前記衝撃吸収部材（２）を、卵パック（Ｐ）の外周に接触するとき、その卵パック（Ｐ）のサイズによって収縮するものとしたことを特徴とする請求項１記載の卵パック保護カバー。
【請求項４】
前記衝撃吸収部材（２）を、低反発ウレタンフォームからなるものとしたことを特徴とする請求項１記載の卵パック保護カバー。
【考案の詳細な説明】
【技術分野】
【０００１】
この考案は、スーパーマーケット等で販売されている卵パック入りの卵を破損することなく持ち帰るのに適した卵パック保護カバーに関するものである。
【背景技術】
【０００２】
従来、この種の卵パック保護カバーとしては、例えば図５、６に示したようなものが存在する。この卵パック保護カバーは、卵パックＰの両端を残して周囲を覆う厚紙あるいは合成樹脂シートで成形したカバー本体１１から構成されている。そして、このカバー本体１１の内面には、卵パックＰの中央上下に形成された連続する凹部ｇの双方または一方に入る突片１２を突設したものとしている（特許文献１）。
【０００３】
このように構成した卵パック保護カバーでは、卵パックＰはカバー本体１１により覆われ、突片１２がパック中央の凹部ｇに接し、これが支えとなってカバー本体１１を押圧されても受け支え、圧潰力を止める。したがって、積み重ねたり、運ぶときに卵が割れることがないとしている。
【０００４】
さらに、上記従来の卵パック保護カバーを改良したものとして、図７、８に示したものが存在する。この卵パック保護カバーは、卵パックＰの両端を残して周囲を覆う厚紙あるいは合成樹脂シートで成形したカバー本体２１から構成されている。そして、このカバー本体２１の内面には、卵パックＰの中央上下に形成された連続する凹部ｇの双方または一方に入る突片２２を突設したものとし、さらにカバー本体２１の上面には、係止突起２３を起立させ、カバー本体２１の下面には、係合孔２４を開口したものとしている（特許文献２）。
【０００５】
このように構成した卵パック保護カバーでは、上記したものと同様の効果を有し、さらにカバー本体２１の上面に係止突起２３を起立させ、カバー本体２１の下面に係合孔２４を開口しているので積重ねたとき、下位のカバー本体２１の係止突起２３が上位のカバー本体２１の係合孔２４に入るため、倒壊することがないとしている。
【特許文献１】実公平２−４９３９号公報（第１、２頁、第３、４図）
【特許文献２】実公平２−２１４２３号公報（第１、２頁、第２、３図）
【考案の開示】
【考案が解決しようとする課題】
【０００６】
しかしながら、上記従来の卵パック保護カバーでは、カバー本体１１、２１が厚紙あるいは合成樹脂シートのみで構成されているため、衝撃吸収性が不十分で卵パックＰを衝撃から十分に保護することができないという課題を有していた。
【０００７】
さらに、上記従来の卵パック保護カバーでは、カバー本体１１、２１の内面に突設した突片１２、２２を、卵パックＰの中央上下に形成された連続する凹部ｇに接するようにして、卵パックＰから外れないように装着しているため、この装着作業に手間がかかり、また卵パックＰから外すにも、このときは前記突片１２、２２が邪魔になって、その取外し作業に手間がかかるという課題を有していた。
【０００８】
また、上記従来の卵パック保護カバーは、スーパーマーケット等で多数の卵パックＰを積み上げて販売したり、運送業者等が多数の卵パックＰを積み上げて運ぶときに、卵パックＰに収納された卵が割れないようにするためのものであり、買物客が卵パック入りの卵を購入したあと持ち帰るのに適したものではなく、また買物客が再使用するのにも適さないという課題を有していた。
【０００９】
そこで、この考案は、上記従来の課題を解決するものであり、衝撃吸収性が十分であり、卵パックに簡単に装着したり取り外したりすることができ、さらに買物客が再使用するのにも適しており、しかも不使用時には嵩を低くしておくことができる卵パック保護カバーを提供することを目的としてなされたものである。
【課題を解決するための手段】
【００１０】
この考案の卵パック保護カバーは、一端の開口部１ａから挿入するようにした卵パックＰの外周に接触するようにして、内側１ｂに衝撃吸収部材２を装着してなる四角筒体１とし、不使用時には対向する一対の折目ｔより扁平状に折り畳めるようにしている。
【００１１】
そして、この考案の卵パック保護カバーは、前記四角筒体１を、剛性を有する長方形状の四枚の板材３を連設し、これら板材３の内面にそれぞれ衝撃吸収部材２の外面を沿わせ、前記板材３の外面と衝撃吸収部材２の内面とを合成樹脂地からなる外装生地４で被覆したものとしている。
【００１２】
さらに、この考案の卵パック保護カバーは、前記衝撃吸収部材２を、卵パックＰの外周に接触するとき、その卵パックＰのサイズによって収縮するものとしている。
【００１３】
また、この考案の卵パック保護カバーは、前記衝撃吸収部材２を、低反発ウレタンフォームからなるものとしている。
【考案の効果】
【００１４】
この考案の卵パック保護カバーは、以上に述べたように構成されているので、衝撃吸収性が十分なものとなり、卵パックを衝撃から十分に保護することができるものとなった。さらに、卵パックに簡単に装着したり取り外したりすることができるので、使用時に手間の掛からないものとなった。また、買物客が再使用するのにも適しており、しかも不使用時には嵩を低くしておくことができるので、買物時に携帯するのに便利なものとなった。
【考案を実施するための最良の形態】
【００１５】
以下、この考案の卵パック保護カバーを実施するための最良の形態を、図面に基づいて詳細に説明する。
【００１６】
この考案の卵パック保護カバーは、例えば図１〜４に示したように、一端の開口部１ａから挿入するようにした卵パックＰの外周に接触するようにして、内側１ｂに衝撃吸収部材２を装着してなる四角筒体１としており、不使用時には対向する一対の折目ｔより扁平状に折り畳めるようにしている。
【００１７】
前記四角筒体１は、剛性を有する長方形状の四枚の板材３を連設し、これら板材３の内面にそれぞれ衝撃吸収部材２の外面を沿わせ、前記板材３の外面と衝撃吸収部材２の内面とを外装生地４で被覆したものとしている。そして、この四角筒体１は、前記四枚の板材３を連設する繋ぎ目をそれぞれ前記折目ｔとしている。さらに、前記外装生地４は、合成樹脂地などからなるものとして、防水性を備えたものとしている。
【００１８】
前記衝撃吸収部材２は、卵パックＰの外周に接触するとき、その卵パックＰのサイズによって収縮するものとしている。一般に、卵はＬＬ、Ｌ、Ｍ、ＭＳなどにサイズ分けされており、これらの卵を収容する卵パックＰのサイズもその卵のサイズによって、大きくなったり小さくなったりする。そこで、前記衝撃吸収部材２は、一番小さいサイズの卵を収容する一番小さいサイズの卵パックＰの外周が丁度、接する厚みにしておき、卵パックＰのサイズが大きくなるにつれて、収縮して薄くなり、その卵パックＰの外周に接触するようにして、挿入した卵パックＰが抜け落ちないようにしている。
【００１９】
さらに、前記衝撃吸収部材２は、低反発ウレタンフォームからなるものとすれば、衝撃吸収力が非常に優れたものとなり、卵パックＰに収容された卵が衝撃によってより割れ難くなり、好ましいものとなる。
【００２０】
前記板材３は、ボール紙や合成樹脂板などからなるものとしており、外方からの押圧力によって容易に変形しないようにしている。
【００２１】
以上のように構成されたこの考案の卵パック保護カバーは、例えば次のようにして使用する。
【００２２】
先ず、スーパーマーケット等に買物に出かける場合には、図２に示したように、四角筒体１の対向する一対の折目ｔより、この四角筒体１を扁平状に折り畳んだ状態にして、ショッピングバッグ等と一緒に携帯する。
【００２３】
そして、スーパーマーケット等で買物をし、卵パック入りの卵を含む購入した商品の会計を済まし、これら購入した商品をスーパーマーケット等のショッピングカゴからショッピングバッグ若しくはレジ袋（ポリ袋）に移しかえる。このとき、卵パック保護カバーの四角筒体１の折目ｔを、図１に示したように、元の直角状態に戻し、この四角筒体１の一端の開口部１ａから卵パックＰを挿入し、卵パック保護カバーでこの卵パックＰを覆い、四角筒体１の四角筒形状が維持されるようにする。この場合、サイズの小さい卵パックＰでは、図３に示したように、卵パックＰの上下面が丁度、四角筒体１の上下内面に接触し、卵パックＰの両側に突出した鍔部が丁度、四角筒体１の両側内面に接触し、四角筒体１の四角筒形状が維持される。また、サイズの大きい卵パックＰでは、図４に示したように、卵パックＰの上下面が四角筒体１の上下内面を押圧し衝撃吸収部材２を凹ませて、この四角筒体１の上下内面に接触し、卵パックＰの両側に突出した鍔部が四角筒体１の両側内面を押圧し衝撃吸収部材２を凹ませて、この四角筒体１の両側内面に接触し、四角筒体１の四角筒形状が維持される。
【００２４】
次に、この卵パック保護カバーで覆われた卵パックＰをショッピングバッグやレジ袋の一番底に収容する。すると、この卵パックＰの収容によって、ショッピングバッグやレジ袋が膨らみそれらの口が大きく広がるので、卵パック保護カバーで覆った卵パックＰを収容した後に、購入した他の商品をこの卵パックＰの上から収納していけば、ショッピングバッグやレジ袋への収納が非常にし易いものなる。この場合、卵パックＰの上から収納した他の商品の荷重は、卵パック保護カバーの四角筒体１を構成する板材３で受け止められ、この卵パック保護カバーに覆われた卵パックＰに作用することがなく、また卵パックＰは衝撃吸収部材２によって包囲されているため、卵パックＰ内の卵は衝撃から十分に保護することができるものとなる。
【００２５】
さらに、使用者は帰宅後、ショッピングバッグやレジ袋から先ず購入した他の商品を取り出し、最後に卵パック保護カバーで覆われた卵パックＰを取り出す。そして、この卵パック保護カバーで覆われた卵パックＰは、四角筒体１の一端の開口部１ａから手で掴んで引き抜けば、卵パック保護カバーを簡単に取り外すことができる。この取り外した卵パック保護カバーは、四角筒体１の対向する一対の折目ｔより扁平状に折り畳んで保管しておけば、買物時に再使用することができる。また、再使用によって卵パック保護カバーが汚れても、合成樹脂地からなる外装生地４で被覆したものとしているので、布巾などで軽く拭けばその汚れを簡単に落とすことができる。
【図面の簡単な説明】
【００２６】
【図１】この考案の卵パック保護カバーの一実施形態を示す斜視図である。
【図２】図１に示したこの考案の卵パック保護カバーを扁平状に折り畳んだ状態を示す斜視図である。
【図３】図１に示したこの考案の卵パック保護カバーにより小さいサイズの卵パックを覆った状態を示す断面図である。
【図４】図１に示したこの考案の卵パック保護カバーにより大きいサイズの卵パックを覆った状態を示す断面図である。
【図５】従来の卵パック保護カバーの一例を示す一部斜視図である。
【図６】図５に示す従来の卵パック保護カバーにより卵パックを覆った状態を示す断面図である。
【図７】従来の卵パック保護カバーの他の例を示す一部斜視図である。
【図８】図７に示す従来の卵パック保護カバーにより卵パックを覆った状態を示す断面図である。
【符号の説明】
【００２７】
１  四角筒体
１ａ  開口部
１ｂ  内側
２  衝撃吸収部材
３  板材
４  外装生地
Ｐ  卵パック
ｔ  折目
【図１】
0003140524.tif 000003
【図２】
0003140524.tif 000004
【図３】
0003140524.tif 000005
【図４】
0003140524.tif 000006
【図５】
0003140524.tif 000007
【図６】
0003140524.tif 000008
【図７】
0003140524.tif 000009
【図８】
0003140524.tif 000010